(57)【要約】【課題】  ガラス板の前面側に取付部材が露出せずデザイン性、着脱作業性に優れた薄型ディスプレイ用のガラス板取付構造を提供する。造方法を提供すること。【解決手段】  方形フレームを高さ調整脚により取付位置に突っ張り状態で立設し、上記方形フレームに薄型ディスプレイユニットを固設し、上記方形フレームに前後方向に位置調整可能なフックを前向に設置し、ディスプレイユニットの表示画面に対応する領域がハーフミラーとなったガラス板を設け、上記ガラス板の上記表示画面に対向する後面側において、上記フックに対応する位置に溝部材を固定し、上記ガラス板の上記後面側を上記方形フレームの前面に宛がい、該ガラス板を下方にスライドさせた状態において上記各溝部材に上記フックが係合し得るように構成し、上記係合状態において上記ガラス板の後面側の周縁部が上記方形フレームの前面に密着するように構成した。【選択図】  図１
2011071972.tif 000002
【特許請求の範囲】
【請求項１】
方形フレームの上辺と下辺に各々上向及び下向に高さ調整脚を取り付け、上記方形フレームをこれら高さ調整脚によって取り付け位置の上面と下面に突っ張り状態で立設固定可能とし、
上記方形フレームの垂直左右辺間に薄型ディスプレイユニットを垂直に固設し、
上記方形フレームの左右対称位置に前後方向に位置調整可能なフックを前向に複数個設置し、
少なくとも上記方形フレームの前面側全体を被覆可能な面積を有し、上記薄型ディスプレイユニットの表示画面に対応する領域がハーフミラーとなったガラス板を設け、
かつ上記ガラス板の上記薄型ディスプレイユニットの上記表示画面に対向する後面側において、上記複数のフックに対応する位置に当該フックが係合し得る上向溝を具備した溝部材を各々固定し、
上記ガラス板の上記後面側を上記方形フレームの前面に宛がい、該ガラス板を下方にスライドさせた状態において上記各溝部材に上記方形フレームの上記フックが各々係合し得るように構成し、
上記係合状態において、上記ハーフミラーの上記領域が上記表示画面に対応して位置すると共に、上記ガラス板の上記後面側の周縁部が上記方形フレームの上記前面に密着するように構成したものであることを特徴とする薄型ディスプレイ用のガラス板取付構造。
【請求項２】
上記各フックは上記方形フレームの外周縁より内側位置に設けられており、かつ上記溝部材は上記ガラス板の周縁より内側の位置に設けられており、
上記ガラス板の上記方形フレームへの取り付け状態において、上記ガラス板の前面側及び上記周縁に上記フック及び溝部材の何れもが露出しない構成であることを特徴とする請求項１記載の薄型ディスプレイ用のガラス板取付構造。
【請求項３】
上記フックは、上記方形フレームに螺合し得る雄螺子部と、該雄螺子部先端に形成され上記溝部材に係合し得るフック部とから構成され、上記雄螺子部を回転させることにより、上記フック部の上記方形フレームに対する前後位置を調整可能に構成されているものであることを特徴とする請求項１又は２記載の薄型ディスプレイ用のガラス板取付構造。
【請求項４】
上記溝部材は上記上向溝が上記ガラス板の後面側よりさらに後方側に位置する状態で取り付けられており、
上記フック部の前端位置が上記方形フレームの上記前面に面一となるように前後方向位置調整した状態において、
上記ガラス板の上記上向溝を上記フック部に係合することにより、上記ガラス板の上記後面側の周縁部が上記方形フレームの上記前面に密着するように構成したものであることを特徴とする請求項３記載の薄型ディスプレイ用のガラス板取付構造。
【請求項５】
上記ガラス板の後面の周縁に方形枠を固着し、上記溝部材は上記方形枠に取り付けられているものであることを特徴とする請求項１〜４の何れかに記載の薄型ディスプレイ用のガラス板取付構造。
【請求項６】
取り付け位置の上面と下面に方形フレームを設置し、該方形フレームの上辺と下辺の高さ調整脚の高さ調整を行い、これら高さ調整脚により当該方形フレームを上記上面と下面に突っ張り状態で立設固定し、
上記方形フレームの垂直左右辺間に薄型ディスプレイユニットを垂直に固設し、
上記方形フレームの左右対称位置に前向きに設けられた前後方向位置調整可能フックの前後位置を、これらフックにガラス板の溝部材を係合したとき、上記ガラス板の後面周縁が上記方形フレームの前面に密着する位置に位置調整し、
少なくとも上記方形フレームの前面側全体を被覆可能な面積を有し、上記薄型ディスプレイユニットの表示画面に対応する領域がハーフミラーとなった上記ガラス板を用意し、
かかるガラス板は上記薄型ディスプレイユニットの表示画面に対向する後面側において、上記複数のフックに対応する位置に当該フックが係合し得る上向溝を具備した溝部材が設けられており、
上記ガラス板の上記後面側を上記方形フレームの前面に宛うと共に上記各フックに上記溝部材を対応させ、該ガラス板を下方にスライドさせることにより上記各溝部材に上記方形フレームの上記フックを各々係合させ、
これにより上記ガラス板の上記ハーフミラーの上記領域が上記表示画面に対応して位置すると共に、上記ガラス板の後面側の周縁部を上記方形フレームの上記前面に密着させた状態で上記ガラス板を上記方形フレームの前面側に固定する薄型ディスプレイ用のガラス板取付方法。
【発明の詳細な説明】
【技術分野】
【０００１】
本発明は、液晶テレビ等の薄型ディスプレイの前面側に設置されるガラス板の取り付けに関するものであり、デザイン性、取り付け作業性等に優れたガラス板の取付構造及び取付方法を提供するものである。
【背景技術】
【０００２】
従来、薄型ディスプレイを壁面に設置し、そのディスプレイ前面側に該ディスプレイに対応した部分だけがハーフミラーとなった鏡を設置することで、通常は鏡として機能させると共に、ディスプレイに映像を表示した場合は、ハーフミラーの前面側から上記映像を確認し得るように構成したディスプレイ装置が実用化されている。
【０００３】
かかる装置において、鏡の取り付けは、鏡の上下の辺を壁面に設けた上下の支持レールに嵌合させて固定するもの（特許文献１，２）、或いは鏡の左右の辺、或は４隅部分を壁面に設けた左右の支持レール或は４隅の支持部材に嵌合させて固定するもの（特許文献２）等が提案されている。
【先行技術文献】
【特許文献】
【０００４】
【特許文献１】特開２００６−８６６４３
【特許文献２】特開２００５−２６０５４５
【発明の概要】
【発明が解決しようとする課題】
【０００５】
ところで、上記ディスプレイ装置では、鏡の前面側に何ら取り付け部材が露出しないようなデザインが望まれるが、上記特許文献１，２のものは、鏡の上下辺、左右辺等を支持レールにて支持する構造であるから、鏡の支持部材（支持フレーム等）が鏡の前面側に露出するため、装置としてのデザイン性に課題がある。
【０００６】
また、薄型ディスプレイ装置に限らず一般的なガラス板の取付構造においても、ガラス板の周縁を固定するもの、或いは、ガラス板の板面側から背面側に貫通する取付部材を設け、当該取付部材によって当該ガラス板を壁面等に固定する構造が多く採用されており、何れもガラス前面側に取付部材が露出する構造であるから、薄型ディスプレイ用のガラス板としては上記特許文献１，２等と同様の課題がある。
【０００７】
また、薄型ディスプレイ装置の前面側に設置する場合、ディスプレイ装置のメンテナンス性を考慮すると、デザイン性のみならず、鏡の着脱の容易性も必要となる。
【０００８】
本発明は上記従来の課題に鑑みてなされたものであり、上記ガラス板の前面側に何ら取付部材やフレームが露出せずデザイン性に優れていると共に、着脱等の取り付け作業性に優れた薄型ディスプレイ用のガラス板取付構造及び取付方法を提供することを目的とする。
【課題を解決するための手段】
【０００９】
上記の目的を達成するため本発明は、
第１に、方形フレームの上辺と下辺に各々上向及び下向に高さ調整脚を取り付け、上記方形フレームをこれら高さ調整脚によって取り付け位置の上面と下面に突っ張り状態で立設固定可能とし、上記方形フレームの垂直左右辺間に薄型ディスプレイユニットを垂直に固設し、上記方形フレームの左右対称位置に前後方向に位置調整可能なフックを前向に複数個設置し、少なくとも上記方形フレームの前面側全体を被覆可能な面積を有し、上記薄型ディスプレイユニットの表示画面に対応する領域がハーフミラーとなったガラス板を設け、かつ上記ガラス板の上記薄型ディスプレイユニットの上記表示画面に対向する後面側において、上記複数のフックに対応する位置に当該フックが係合し得る上向溝を具備した溝部材を各々固定し、上記ガラス板の上記後面側を上記方形フレームの前面に宛がい、該ガラス板を下方にスライドさせた状態において上記各溝部材に上記方形フレームの上記フックが各々係合し得るように構成し、上記係合状態において、上記ハーフミラーの上記領域が上記表示画面に対応して位置すると共に、上記ガラス板の上記後面側の周縁部が上記方形フレームの上記前面に密着するように構成したものであることを特徴とする薄型ディスプレイ用のガラス板取付構造により構成される。
【００１０】
上記ガラス板の後面側の溝部材は、ガラス板の後面に例えば方形枠を設け、当該方形枠に溝部材を設けることができる。このように構成すると、上記ガラス板後面を上記方形フレーム前面に宛がいガラス板を下方にスライドさせるという非常に簡単な操作でガラス板を方形フレーム前面側に固定することができ、このとき、ガラス板の後面側の周縁部が上記方形フレームの前面に密着するから、ガラス板の取付け状態において方形フレーム内への外光の入射を効果的に防止できる。また、ガラス板の前面側及び終縁にはガラス板の取付用のフック或いはフレーム等が露出しないので、非常にデザイン性の高い取付構造を実現し得る。また、ガラス板の垂直方向へのスライド動作のみによりガラス板を方形フレームに固定し得るため、溝部材の上向溝の深さを浅く形成することにより、取付けに伴うガラス板の垂直スライド量を非常に短くすることができる。これにより取り付けた状態でのガラス板の上下辺縁部と取付け位置の上面と下面との隙間を極めて短く形成することができ、デザイン性の高い取付構造を実現し得る。また、ガラス板を取り外すには、ガラス板を方形フレーム前面に沿って上方にスライドして溝部材とフックとの係合を解除すれば良いので、ガラス板の取り外しも極めて容易に行うことができ、薄型ディスプレイユニットのメンテナンス性も良好である。
【００１１】
第２に、上記各フックは上記方形フレームの外周縁より内側位置に設けられており、かつ上記溝部材は上記ガラス板（ガラス面）の周縁より内側の位置に設けられており、上記ガラス板の上記方形フレームへの取り付け状態において、上記ガラス板（ガラス面）の前面側及び上記周縁に上記フック及び溝部材の何れもが露出しない構成であることを特徴とする上記第１記載の薄型ディスプレイ用のガラス板取付構造により構成される。
【００１２】
方形フレームの外周縁とは方形フレーム（４）の外周により形成される縁部をいう。ガラス板の周縁とはガラス板（６）の周囲により形成される縁部をいう。このように構成すると、ガラス板の前面側及び終縁にはガラス板の取付用のフック或いはフレーム等が全く露出しないので、非常にデザイン性の高い取付構造を実現し得る。
【００１３】
第３に、上記フックは、上記方形フレームに螺合し得る雄螺子部と、該雄螺子部先端に形成され上記溝部材に係合し得るフック部とから構成され、上記雄螺子部を回転させることにより、上記フック部の上記方形フレームに対する前後位置を調整可能に構成されているものであることを特徴とする上記第１又は２記載の薄型ディスプレイ用のガラス板取付構造により構成される。
【００１４】
このように構成すると、上記フック部の前後方向位置を容易に調整することができる。従って、例えば上記フック部を上記方形フレームと面一状態に設定し、上記ガラス板の溝部材を、上記ガラス板後面（例えばガラス板後面の方形枠の後面）を上記方形フレーム前面に接触させた状態において、上記フック部に係合可能な位置、即ち、上記ガラス板後面から後方側に突出して設けることにより、上記フック部と上記溝部材の係合状態において、上記ガラス板の後面を上記方形フレームの前面に密着状態とすることができる。
【００１５】
第４に、上記溝部材は上記上向溝が上記ガラス板の後面側よりさらに後方側に位置する状態で取り付けられており、上記フック部の前端位置が上記方形フレームの前面に面一となるように前後方向位置調整した状態において、上記ガラス板の上記上向溝を上記フック部に係合することにより、上記ガラス板の上記後面側の周縁部が上記方形フレームの上記前面に密着するように構成したものであることを特徴とする上記第３記載の薄型ディスプレイ用のガラス板取付構造により構成される。
【００１６】
このように構成すると、ガラス板の各溝部材が方形フレームの各フックの上面に対応するように当該ガラス板を上記方形フレーム前面に密着した状態から、ガラス板を下方に方形フレームの前面に沿って垂直にスライドするだけで、ガラス板の後面を上記方形フレーム前面に密着させた状態で、ガラス板を方形フレームに取り付けることができる。
【００１７】
第５に、上記ガラス板の後面の周縁に方形枠を固着し、上記溝部材は上記方形枠に取り付けられているものであることを特徴とする上記第１〜４の何れかに記載の薄型ディスプレイ用のガラス板取付構造により構成される。
【００１８】
このように構成すると、溝部材をガラス板後面の方形枠に容易に固定することができる。
【００１９】
第６に、取り付け位置の上面と下面に方形フレームを設置し、該方形フレームの上辺と下辺の高さ調整脚の高さ調整を行い、これら高さ調整脚により当該方形フレームを上記上面と下面に突っ張り状態で立設固定し、上記方形フレームの垂直左右辺間に薄型ディスプレイユニットを垂直に固設し、上記方形フレームの左右対称位置に前向きに設けられた前後方向位置調整可能フックの前後位置を、これらフックにガラス板の溝部材を係合したとき、上記ガラス板の後面周縁が上記方形フレームの前面に密着する位置に位置調整し、少なくとも上記方形フレームの前面側全体を被覆可能な面積を有し、上記薄型ディスプレイユニットの表示画面に対応する領域がハーフミラーとなった上記ガラス板を用意し、かかるガラス板は上記薄型ディスプレイユニットの表示画面に対向する後面側において、上記複数のフックに対応する位置に当該フックが係合し得る上向溝を具備した溝部材が設けられており、上記ガラス板の上記後面側を上記方形フレームの前面に宛がうと共に上記各フックに上記溝部材を対応させ、該ガラス板を下方にスライドさせることにより上記各溝部材に上記方形フレームの上記フックを各々係合させ、これにより上記ガラス板の上記ハーフミラーの上記領域が上記表示画面に対応して位置すると共に、上記ガラス板の後面側の周縁部を上記方形フレームの上記前面に密着させた状態で上記ガラス板を上記方形フレームの前面側に固定する薄型ディスプレイ用のガラス板取付方法により構成される。
【００２０】
かかる取付方法によると、方形フレームにガラス板を非常に容易に取り付けることができ、しかも取付け状態において、ガラス板の後面を方形フレーム前面に密着させて方形フレーム内への外光の入射を防止し得る。しかも、ガラス板の前面側にはなんら取付け用の部材は露出せず、ガラス板のスライド量も短くすることができるので、デザイン性に優れた取付構造を実現し得る。
【発明の効果】
【００２１】
本発明は上述のように構成したので、ガラス板後面を上記方形フレーム前面に宛がいガラス板を下方にスライドさせるという非常に簡単な操作でガラス板を方形フレーム前面側に固定することができ、ガラス板の取付け時の作業性を向上し得る。
【００２２】
また、ガラス板の取付け時に、ガラス板の後面側の周縁部が上記方形フレームの前面に密着するから、ガラス板の取付け状態において方形フレーム内への外光の入射を効果的に防止できる。
【００２３】
また、ガラス板の前面側及び周縁にはガラス板の取付用のフック或いはフレーム等が露出しないので、非常にデザイン性の高い取付構造を実現し得る。
【００２４】
また、ガラス板の垂直方向へのスライド動作のみによりガラス板を方形フレームに固定し得るため、溝部材の上向溝の深さを浅く形成することにより、取付けに伴うガラス板の垂直スライド量を非常に短くすることができる。これにより取り付けた状態でのガラス板の上下辺縁部と取付け位置の上面と下面との隙間を極めて短く形成することができ、デザイン性の高い取付構造を実現し得る。
【００２５】
また、ガラス板を取り外すには、ガラス板を方形フレーム前面に沿って上方にスライドして溝部材とフックとの係合を解除すれば良いので、ガラス板の取り外しも極めて容易に行うことができ、薄型ディスプレイユニットのメンテナンス性も良好である。
【００２６】
また、方形フレームのフックの前後方向位置の調整も容易に行うことができる。
【００２７】
また、本発明の取付方法によると、方形フレームにガラス板を容易に取り付けることができ、しかもガラス板の取付状態において、ガラス板の後面を方形フレーム前面に密着させて方形フレーム内への外光の入射を防止し得るし、ガラス板の前面側にはなんら取付け用の部材は露出せず、ガラス板のスライド量も短くすることができるので、デザイン性に優れた取付構造を実現し得る。
【図面の簡単な説明】
【００２８】
【図１】本発明に係る薄型ディスプレイ用のガラス板の取付構造の分解斜視図である。
【図２】（ａ）は同上構造の正面図、（ｂ）は同上構造の側面断面図である。
【図３】（ａ）は同上構造におけるガラス板を取り付ける前の状態の正面図、（ｂ）はその側面断面図である。
【図４】同上構造のコーナー部の一部分解斜視図である。
【図５】（ａ）は同上構造の方形フレームのコーナー部の一部正面図、（ｂ）はその側面断面図である。
【図６】（ａ）は同上構造におけるガラス板を取り付ける前の状態を示す側面図、（ｂ）は同上構造におけるガラス板を取り付けた状態を示す側面図である。
【図７】（ａ）は同上構造のガラス板の正面図、（ｂ）は同上ガラス板の側面断面図である。
【図８】（ａ）は同上構造のガラス板のコーナー部の拡大正面図、（ｂ）は同上コーナー部の拡大側面断面図である。
【発明を実施するための形態】
【００２９】
以下、本発明に係る薄型ディスプレイ用のガラス板の取付構造及び取付方法について詳細に説明する。
【００３０】
図１は本発明に係る取付構造を使用した薄型ディスプレイ装置の分解斜視図、図２（ａ）は正面図及び同図（ｂ）は側面断面図を示す。尚、以下の説明において、方形フレーム４を中心として、ガラス板６側を前方、方形フレーム４から壁面１方向を後方といい、左右の方向は、図１においてガラス板６から方形フレーム４側を向いた場合の左右方向を用いることとする。
【００３１】
本発明に係る薄型ディスプレイ装置は、壁面１に沿って長方形状の方形フレーム４を天井面（上面）２と床面（下面）３に突っ張り状態で固定し、この方形フレーム４の上半部に薄型ディスプレイユニット５を固定し、かつ上記薄型ディスプレイユニット５の前面側にハーフミラー領域（ハーフミラーの領域）６ａを有するガラス板６を固定することにより構成されている（図１、図２参照）。
【００３２】
上記方形フレーム４は、断面略正方形の直線状アルミフレーム杆を長方形状に組み立て、各コーナ部においてＤブラケットＤ１により固定することにより構成されており（図３（ａ）参照）、上記フレーム杆は両端部中央に雌螺子孔４５が形成されると共に（図５（ａ）参照）、各面の長手方向全体に断面Ｔ字型の縦溝４６が形成されており（図５（ａ）（ｂ）参照）、当該縦溝４６を利用して任意の位置にＬ型アングル１６或いはＤブラケットＤ１等をボルト及びナットＢにより固定し得るように構成されている（図５（ａ）参照）。
【００３３】
この方形フレーム４の上辺４ａの左右位置の上記雌螺子孔４５に突っ張り用の高さ調整脚８，８がその円錐形脚部８ａ，８ａを上向きにした状態で雄螺子部８ｂを以って螺合されており（図５（ａ））、下辺４ｂの左右位置の上記雌螺子孔４５に下向きに突っ張り用の高さ調整脚８，８がその円錐形脚部８ａ，８ａを下向きにした状態で雄螺子部８ｂを以って螺合されている（図３参照）。
【００３４】
上記天井面２と床面３の設置位置には、上記高さ調整脚８の脚部８ａを嵌合し得る一対の円形凹部９ａ，９ａが左右端部に形成された固定板９が面ファスナー等により各々固定されており（図６（ａ）（ｂ）参照）、上記上下辺側の高さ調整脚８，８の脚部８ａ，８ａを、各々天井面２及び床面３の固定板９，９の円形凹部９ａ，９ａに各々嵌合し、上記各高さ調整脚８の雄螺子部８ｂを回転させることにより、上記上辺側の脚部８ａ，８ａを上方に移行させ、同じく下辺側の脚部８ａ，８ａの雄螺子部８ｂを回転させることにより、上記下辺側の脚部８ａ，８ａを下方に移行させ、これにより上記４つの高さ調整脚８の脚部８ａによって上記方形フレーム４を上記天井面２と床面３の間に突っ張り状態で垂直に立設固定する（図２（ｂ）、図３（ｂ）参照）。
【００３５】
上記高さ調整脚８は、図４に示すように、雄螺子部８ｂと先端の円形脚部８ａとから構成され、上記雄螺子部８ｂをフレーム４の上辺４ａ部分又は下辺４ｂ部分の雌螺子孔４５に螺合し、雄螺子部８ｂを回転させることにより上下方向の高さ調整を行い、固定ナット８ｃを締め付けることにより当該高さ位置に円形脚部８ａを固定し得るように構成している。
【００３６】
上記方形フレーム４には、薄型ディスプレイユニット５をフレーム４の上半部に固定するための上下取付用水平フレーム１１，１２が設けられている。上記上取付水平フレーム１１は上辺４ａに平行に上辺４ａに近接した上部において、ＤブラケットＤ２により固定されており、上記下取付水平フレーム１２は上記フレーム４の上下方向の略中央位置に、上記方形フレーム４の垂直左右フレーム４ｃ，４ｄの外側からボルトＢにて水平に固定されている（図３（ａ）参照）。
【００３７】
上記薄型ディスプレイユニット５は、上記上下取付用水平フレーム１１，１２間のスペースに取り付けられる。このディスプレイユニット５は、上記方形フレーム４と同一のアルミフレーム杆を用いた方形フレーム１４によって構成されている。この方形フレーム１４の後面はその全体が黒色遮蔽ボード１３により遮蔽されており（図５（ｂ））、液晶ディスプレイ等のディスプレイ５’の四隅に対応する当該ボード１３の４箇所にディスプレイ（表示画面）係合用フック２０が４箇所に固定されている（図３（ａ）参照）。そして上記ディスプレイ５’は左右辺に固定されたL型アングル１０，１０の係合孔１０’に上記フック２０を挿入することで、上記黒色遮蔽ボード１３前面側に上記ボード１３に平行に固定されている（図３（ｂ）、図５（ａ）（ｂ）参照）。当該遮蔽ボード１３上には上記ディスプレイ５’に画像を表示するための各種画像表示用回路基板５ａが装着されている（図３（ａ）参照）。
【００３８】
この薄型ディスプレイユニット５はその方形フレーム１４を上記上下取付水平フレーム１１，１２間に嵌合装着した状態で、フレーム１４の四隅をＤブラケットＤ３により上記上下取付水平フレーム１１，１２に固定されている（図３（ａ）参照）。
【００３９】
かかる固定状態において、上記方形フレーム１４の前面１４ａは、上記方形フレーム４の前面４４に面一状態となり、かつ上記表示画面５’は、上記フレーム１４の前面１４ａより若干前側に位置するように構成されている（図３（ｂ）、図５（ｂ）参照）。
【００４０】
上記方形フレーム４には、前後方向位置調整可能なフック１５が垂直左辺４ｃの上方、中央、下方に３個、垂直右辺４ｄの上方、中央、下方に３個（計６箇所）が左右対称位置に設けられている。これらのフック１５は図４に示すようにＬ型アングル１６の一面１６ａを上記垂直左右辺４ｃ，４ｄの各縦溝にボルト及びナットＢにて固定し、上記アングル１６の他面１６ｂを上記ディスプレイ５’と平行の水平面に位置させ、当該他面１６ｂに設けた雌螺子孔１６ｂ’に雄螺子部１５ａを以って螺合されている（図６（ｂ）参照）。よって、上記各フック１５は上記方形フレーム４の垂直左右辺４ｃ，４ｄの内側位置に設けられており、上記方形フレーム４の外周から外側には露出しないように構成されている。従って、後述のガラス板６を上記方形フレーム４に固定した場合においても、ガラス板６のガラス面の周縁より内側位置に存在し、上記各フック１５は、ガラス板６の周縁からも露出しないように構成されている。
【００４１】
上記フック（前後方向位置調整可能フック）１５は上記雄螺子部１５ａと該雄螺子部１５ａの先端に回転自在に設けられた円形フック部１５ｂと、上記雄螺子部１５ａに螺合されたナットＮにより構成されており、上記雄螺子部１５ａを回転させて上記円形フック部１５ｂの前後方向位置を調整し、調整位置にて上記ナットＮを締め付けることにより、当該調整位置にて上記円形フック部１５ｂの前後方向位置を位置決めできるように構成されている。上記円形フック部１５ｂは上記雄螺子部１５ａの先端に抜け止め状態で回動自在に軸着されており、軸着部を含む前向椀状部１５ｃと該椀状部１５ｃ周縁部から垂直方向に延出された鍔部１５ｄとから構成されており、かかる鍔部１５ｄ（前後幅Ｔ１）が後述の溝部材１８の上向溝部１８ａに係合し得るように構成されている（図６（ａ）（ｂ）参照）。
【００４２】
このフック部１５は、その円形フック部１５ｂの前端位置（先端）１５ｄ’が、上記方形フレーム４の垂直左右辺４ｃ，４ｄの前面４４に一致するように、上記雄螺子部１５ａを回転させてその前後方向位置を調整する（図６（ａ）参照）。
【００４３】
上記ガラス板６は、上記方形フレーム４の前面側全体を被覆可能な面積（本実施形態では方形フレーム４の外周縁により形成される面積と略同一の面積）を有しており、上記方形フレーム４に取り付けた際、上記薄型ディスプレイユニット５のディスプレイ５’に対応する部分にハーフミラー領域６ａが形成されている（図１参照）。そして、このガラス板６を上記方形フレーム４に取り付けることにより、前面側から見ると、通常はガラス板６全面が鏡として機能し、上記薄型ディスプレイユニット５を動作状態としてそのディスプレイ５’に映像を写すと、上記ハーフミラー領域６ａを介して上記ガラス板６前面側から上記映像を見ることができるようになっている。
【００４４】
このガラス板６の構成は、例えばその後面側に反射膜を形成してガラス面全体を鏡とし、上記領域６ａのみ上記反射膜に透過性を設けてハーフミラー領域としても良いし、ガラス面全体をハーフミラーとし、上記ガラス板６の後面側において上記ハーフミラー領域６ａ以外の部分に遮光フィルムを貼着することにより、上記表示画面５’に映像を表示していない状態において、上記ガラス板６の前面全体が鏡として機能するように構成しても良い。
【００４５】
上記ガラス板６の後面には、ガラス板の後面周縁に沿って、上記方形フレーム４と相似形状の所定前後方向厚の方形枠１７（例えば木製の方形枠）が固着されている。この方形枠１７の各辺の幅Ｔ２は上記方形フレーム４の各辺の幅Ｔ３より太く形成されており、従って上記方形枠１７の左右垂直辺１７ａ，１７ｂにおける上記各フック１５に対応する前方位置には、上記フック１５の円形フック部１５ｂが係合し得る円弧形上向溝１８ａを有する溝部材１８が固定ボルトＢにて固定されている（図４）。よって、上記溝部材１８は、上記フック１５に対応して、上記方形枠１７後面の上部の左右に２個、中央部の左右に２個、下部の左右に２個の計６個が設けられている（図１参照）。また、上記溝部材１８は上記ガラス板６のガラス面の周縁よりも内側位置に各々設けられている。従って、上記ガラス板６の上記方形フレーム４への取り付け状態において、上記ガラス面の前面側及び周縁に上記フック１５及び溝部材１８の何れもが露出しないように構成されている。
【００４６】
この溝部材１８の上記円弧形上向溝１８ａは、上記フック１５の円形フック部１５ｂの鍔部１５ｄが係合し得る上下幅Ｔ４を有しており（図６（ａ）参照）、従って、上記溝部材１８の上向溝１８ａ内に上記フック１５の鍔部１５ｄを係合すると、上記上向溝１８ａの深さ（上下方向幅）Ｔ４に対応するガラス板６の水平移動（ストローク）により上記上向溝１８ａ内に上記鍔部１５ｄを係合することができる（図６（ｂ）参照）。
【００４７】
また、上記溝部材１８は上記方形枠１７の後面１７’に対して奥部方向（後面方向）に突出するように取り付けられている。よって、上記上向溝１８ａは上記後面１７’より後面側に突出して位置するように構成されている（図６（ａ）参照）。一方、上記フック１５の円錐形フック部１５はその前端１５ｄ’が上記方形フレームの垂直左右辺４ｃ，４ｄの前面４４に一致するように、上記前面４４に面一状態となるようにその前後方向位置が調節される（図６（ａ）参照）。よって、上記ガラス板６の方形枠１７の後面１７’を、上記方形フレーム４の上記各フック１５の上方に上記上向溝１８ａが各々対応するように上記方形フレーム４の前面４４に宛がい、上記方形枠１７の後面１７’を上記方形フレーム４の前面４４に圧着（密着）すると、上記溝部材１８の上向溝部１８ａが上記方形フレーム４の前面４４より後方側に入り込み、各上向溝部１８ａが丁度上記フックの円形フック部１５の鍔部１５ｄの上方位置に対応して位置するように構成されている。
【００４８】
従って、上記位置から上記前面４４に圧着（密着）した状態で、上記ガラス板１６を下方にスライドさせることにより、各鍔部１５ｄを対応する各上向溝１８ａに挿入係合させることができる（図６（ｂ）参照）。また、上記ガラス板１６の溝部材１８と上記フック１５を係合した図６（ｂ）の状態において、上記ガラス板１６の方形枠１７の後面１７’はその全周に亘り上記方形フレーム４の前面４４に密着することになる（図６（ｂ）参照）。よって上記ガラス板１６の上記取り付け状態において、ガラス板１６の周縁から方形フレーム４内部に外部の光が入射することを効果的に防止することができる。
【００４９】
本発明は上述のように構成されているので、次に、上記本発明に係る薄型ディスプレイ用のガラス板取付構造を使用したガラス板の取付方法を説明する。
【００５０】
まず、取り付け位置としての壁面１の天井面（上面）２と床面（下面）３に各々固定板９を面ファスナーで固定する。
【００５１】
次に、方形フレーム４を天井面２と床面３との間に、壁面２に沿って配置し、上下辺４ａ，４ｂの高さ調整脚８，８の脚部８ａ，８ａを上記固定板９の左右の円形凹部９ａ，９ａ内に挿入し、かかる状態で、上記脚８，８の雄螺子部８ｂ，８ｂを回転させて高さ調整及び水平調整を行い、当該方形フレーム４を上記天井面２と床面３との間に突っ張り状態で左右方向には水平に立設固定する。
【００５２】
次に、上記方形フレーム４の中央部に下取付水平フレーム１２を水平に取り付け、該フレーム１２の左右端部を上記方形フレーム４の外側からボルトＢにて固定することで、当該下取付水平フレーム１２を固定する。
【００５３】
その後、上記方形フレーム４の垂直左右辺４ｂ，４ｃ間において、上記下取付水平フレーム１２上に薄型ディスプレイユニット５を載置し、当該ユニット５の方形フレーム１４の下辺の左右下端部をＤブラケットＤ３により上記下取付水平フレーム１２に固定する。さらに、上記ディスプレイユニット５の方形フレーム１４の上辺上に上取付水平フレーム１１を載置し、当該上取付水平フレーム１１の下部両端をＤブラケットＤ２にて上記方形フレーム４の垂直左右辺４ｃ，４ｄ内側に固定すると共に、上記薄型ディスプレイユニット５の方形フレーム１４の上辺の両端部をＤブラケットＤ３にて上記上取付水平フレーム１１に固定する。これにより、上記方形フレーム４内に薄側ディスプレイユニット５を上記壁面１及び方形フレーム４の垂直左右辺４ｃ，４ｄに平行に固定することができる。
【００５４】
このとき、上記方形フレーム４のフック１５の鍔部１５ｄの前端１５ｄ’の位置が上記方形フレーム４の前面４４に面一となるように、各フック１５の雄螺子部１５ａを回転させることにより、前後方向に位置調整を行う。全てのフック１５の位置調整が終了したら各フック１５のナットＮを締め付けて各フック１５の前後方向位置を当該位置にて固定する（図６（ａ））。
【００５５】
即ち、上記方形フレーム４の左右対称位置に前向きに設けられた前後方向位置調整可能フック１５の前後位置を、これらフック１５にガラス板６の溝部材１８を係合したとき、上記ガラス板６の後面周縁が上記方形フレーム４の前面４４に密着する位置に位置調整する。
【００５６】
次に、ガラス板６の表面にガラス吸盤を吸着させて同ガラス板６を持ち上げ、上記ガラス板６の後面を上記方形フレーム４の前面に宛がう。このとき、上記ガラス板６の左右縁部と上記方形フレーム４の左右縁部を合わせると共に、上記ガラス板６の各溝部材１８が上記方形フレーム４の各フック１５の直上に位置するように位置合わせを行い、上記ガラス板６の後面の方形枠１７の後面１７’が上記方形フレーム４の前面４４に密着するように当該ガラス板６を上記方形フレーム４に宛がう。
【００５７】
このとき、上記各フック１５の直上に上記溝部材１８の上向溝部１８ａが位置しているので、次に、上記ガラス板６を上記方形フレーム４の前面４４に密着した状態のまま下方にスライドさせることにより、上記各溝部材１８の上向溝１８ａ内に上記方形フレーム４の各フック１５の鍔部１５ｄを各々係合させることができる。このとき、上記フック１５の鍔部１５ｄが上向溝１８ａの深さＴ４分当該上向溝１８ａに入り込むことになるので、上記ガラス板１６の垂直方向の最小ストロークは略Ｔ４に相当する量（例えばＴ４＝約５ｍｍ）となる。
【００５８】
このように上記ガラス板６を約５ｍｍ下方にスライドし、各フック１５の上部が上記上向溝１８ａ内に係合すると、上記ガラス板６を上記方形フレーム４の前面４４に固定することができる。
【００５９】
このとき、上記ガラス板６のハーフミラー領域６ａがディスプレイ５’に対応して位置すると共に、上記ガラス板６の後面側の周縁部（方形枠１７の後面１７’）を上記方形フレーム４の前面４４に全周に亘り密着させた状態で上記ガラス板６を上記方形フレーム４の前面側に固定することができる。
【００６０】
本発明は以上のように、ガラス板６後面（方形枠１７後面１７’）を上記方形フレーム４前面４４に宛がいガラス板６を下方にスライドさせるという非常に簡単な操作でガラス板６を方形フレーム４前面側に固定することができ、ガラス板６の取付け時の作業性を向上し得る。
【００６１】
また、ガラス板６の取付け時に、ガラス板６の後面（方形枠１７後面１７’）側の周縁部が上記方形フレーム４の前面４４に密着するから、ガラス板６の取付け状態において方形フレーム４内への外光の入射を効果的に防止できる。これにより、ガラス板６前面側から方形フレーム４内部が透視し難くなり、ガラス板６の前面側の鏡としての機能を向上し得る。
【００６２】
また、ガラス板６の前面側及び周縁にはガラス板の取付用のフック或いはフレーム等が露出しないので、非常にデザイン性の高い取付構造を実現し得る。尚、図６（ａ）（ｂ）の方形枠１７及びガラス板６の外周にはアルミニウム製の薄い化粧枠２１が設けられているが、これはガラス板６を方形フレーム４に取り付けるための部材ではなく、ガラス板６のデザイン性を高めるためのものである。よって、デザイン的にガラス板６そのものの外周縁を残したい場合は、上記化粧枠２１は無くてもよい。
【００６３】
また、ガラス板６の垂直方向へのスライド動作のみによりガラス板６を方形フレーム４に固定し得るため、溝部材１８の円弧形上向溝１８ａの深さを浅く形成することにより、取付けに伴うガラス板６の垂直スライド量（Ｔ４）を非常に短くすることができる。これにより取り付けた状態でのガラス板６の上下辺縁部と取付け位置の上面（天井面２）と下面（床面３）との隙間を極めて短く形成することができ、デザイン性の高い取付構造を実現し得る。
【００６４】
また、ガラス板６を取り外すには、ガラス板６を方形フレーム４前面４４に沿って上方にスライドして溝部材１８とフック１５との係合を解除し、前方（手前側）に移動すれば良いので、ガラス板６の取り外しも極めて容易に行うことができ、薄型ディスプレイユニット５のメンテナンス性も向上させることができる。
【００６５】
また、方形フレーム４の各フック１５の前後方向位置の調整も容易に行うことができる。
【００６６】
また、本発明の取付構造は、薄型ディスプレイの大きさに拘わらず適用することができ、家庭用の小型ディスプレイ（例えば浴室用、洗面所用の鏡の後面にディスプレイを配置する場合等）、或は商業ビルのロビー等に設置する大型ディスプレイ等の何れの場合にも適用が可能である。
【００６７】
また、本発明の取付方法によると、方形フレーム４にガラス板６を容易に取り付けることができ、しかもガラス板６の取付状態において、ガラス板６の後面（方形枠１７の後面１７’）を方形フレーム４前面４４に全周に亘り密着させて方形フレーム４内への外光の入射を防止し得るし、ガラス板６の前面側にはなんら取付け用の部材は露出せず、ガラス板６のスライド量も短くすることができるので、デザイン性、メンテナンス性に極めて優れた取付構造を実現し得る
【産業上の利用可能性】
【００６８】
本発明に係る薄型ディスプレイ用のガラス板の取付構造及び取付方法は、デザイン性及びメンテナンス性に優れているため、商業ビル、オフィスビル、駅構内のロビー等の公共的な施設の大型ディスプレイ用として、或は家庭の浴室、洗面台等の小型ディスプレイ用として、広く適用が可能である。
【符号の説明】
【００６９】
２        天井面（上面）
３        床面（下面）
４        方形フレーム
４ａ      上辺
４ｂ      下辺
４ｃ      垂直左辺
４ｄ      垂直右辺
５        薄型ディスプレイユニット
５’      ディスプレイ（表示画面）
６        ガラス板
６ａ      ハーフミラー領域
８        高さ調整脚
１５      フック
１５ａ    雄螺子部
１５ｂ    フック部
１５ｄ’  前端
１７      方形枠
１８      溝部材
１８ａ    円弧形上向溝
４４      前面
【図１】
2011071972.tif 000003
【図２】
2011071972.tif 000004
【図３】
2011071972.tif 000005
【図４】
2011071972.tif 000006
【図５】
2011071972.tif 000007
【図６】
2011071972.tif 000008
【図７】
2011071972.tif 000009
【図８】
2011071972.tif 000010